(57)【要約】【課題】周辺ブロックの動きベクトルに対し大きなベクトル差をもつかたまりを補正することができるフレーム補間回路及びフレーム補間方法を提供する。【解決手段】入力画像信号（Ｉ１）から第１のフレーム画像（Ｆ１）と第２のフレーム画像（Ｆ２）を検出し両者を比較して、フレームをブロック状に分割した複数ブロック毎の複数の動きベクトル（Ｖ１１〜Ｖ５５）を検出する検出部（２１，２２）と、一のブロックの上のブロックの動きベクトルと右のブロックの動きベクトルの内のベクトル値が近い方の動きベクトルを選び、このベクトルの値から所定値（ステップ）以内の値に、一のブロックの動きベクトルの値を変更するフィルタ部（２３）と、値が変更された複数の動きベクトル（Ｖ１１’〜Ｖ５５ ’）と第1のフレーム画像と第２のフレーム画像に基づいて、補間画像（Ｆ３）を生成して出力する補間フレーム生成部（１３）をもつフレーム補間回路。【選択図】図１
2008067222.tif 000002
【特許請求の範囲】
【請求項１】
入力画像信号から第１のフレーム画像と第２のフレーム画像を検出し両者を比較して、前記フレームをブロック状に分割した複数ブロック毎の複数の動きベクトルを検出する検出部と、
前記複数ブロックの中の一のブロックの動きベクトルの値に比べて、前記一のブロックの上のブロックの動きベクトルと右のブロックの動きベクトルの内のベクトル値が近い方の動きベクトルを選び、選んだ動きベクトルの値から所定値以内の値に、前記一のブロックの動きベクトルの値を変更するフィルタ部と、
前記フィルタ部により値が変更された前記複数の動きベクトルと前記第1のフレーム画像と前記第２のフレーム画像に基づいて、補間画像を生成して出力する補間フレーム生成部と、を具備することを特徴とするフレーム補間回路。
【請求項２】
前記フィルタ部は、前記フレーム内の複数ブロック毎の複数の動きベクトルの全てについて、選んだ動きベクトルの値から所定値以内の値に前記一のブロックの動きベクトルの値を変更することを特徴とする請求項１記載のフレーム補間回路。
【請求項３】
前記検出部は、前記第１フレーム画像と前記第２フレーム画像とをブロックマッチングすることで、前記動きベクトルを検出することを特徴とする請求項１記載のフレーム補間回路。
【請求項４】
前記入力画像信号は、ＲＧＢ規格又はＹＣｂＣｒ規格であることを特徴とする請求項１記載のフレーム補間回路。
【請求項５】
入力画像信号から第１のフレーム画像と第２のフレーム画像を検出し両者を比較して、前記フレームをブロック状に分割した複数ブロック毎の複数の動きベクトルを検出し、
前記複数ブロックの中の一のブロックの動きベクトルの値に比べて、前記一のブロックの上のブロックの動きベクトルと右のブロックの動きベクトルの内のベクトル値が近い方の動きベクトルを選び、選んだ動きベクトルの値から所定値以内の値に、前記一のブロックの動きベクトルの値を変更し、
前記変更された複数の動きベクトルと前記第1のフレーム画像と前記第２のフレーム画像に基づいて、補間画像を生成して出力することを特徴とするフレーム補間方法。
【請求項６】
前記フレーム内の複数ブロック毎の複数の動きベクトルの全てについて、選んだ動きベクトルの値から所定値以内の値に前記一のブロックの動きベクトルの値を変更することを特徴とする請求項５記載のフレーム補間方法。
【請求項７】
前記第１フレーム画像と前記第２フレーム画像とをブロックマッチングすることで、前記動きベクトルを検出することを特徴とする請求項５記載のフレーム補間方法。
【請求項８】
前記入力画像信号は、ＲＧＢ規格又はＹＣｂＣｒ規格であることを特徴とする請求項５記載のフレーム補間方法。
【請求項９】
入力画像信号から第１のフレーム画像と第２のフレーム画像を検出し両者を比較して、前記フレームをブロック状に分割した複数ブロック毎の複数の動きベクトルを検出する検出部と、
前記複数ブロックの中の一のブロックの動きベクトルの値に比べて、前記一のブロックの上のブロックの動きベクトルと右のブロックの動きベクトルの内のベクトル値が近い方の動きベクトルを選び、選んだ動きベクトルの値から所定値以内の値に、前記一のブロックの動きベクトルの値を変更するフィルタ部と、
前記フィルタ部により値が変更された前記複数の動きベクトルと前記第1のフレーム画像と前記第２のフレーム画像に基づいて、補間画像を生成して出力する補間フレーム生成部と、
前記第1及び第２のフレーム画像及び前記補間画像を画面に表示するパネル部を具備することを特徴とする表示装置。
【請求項１０】
前記第１フレーム画像と前記第２フレーム画像とをブロックマッチングすることで、前記動きベクトルを検出することを特徴とする請求項９記載の表示装置。
【発明の詳細な説明】
【技術分野】
【０００１】
この発明は、動きベクトルを検出し利用するフレーム補間回路及びフレーム補間方法とこれを用いた表示装置に関する。
【背景技術】
【０００２】
最近、デジタル映像技術の発達に伴って、映像の高画質化、高品質化への要請が高まっている。これに応じて、映像の各フレーム画像に対する補間画像を生成し付加することで、映像の動きをより滑らかに自然に表現するフレーム補間処理が知られている。このようなフレーム補間処理では、画像のブロック動きベクトルを検出し、この動きベクトルの動き程度に応じて補間画像を生成している。しかし、この動きベクトルの分布がばらついていると、補間処理の結果である画像に破綻をきたすこととなる。
【０００３】
特許文献１は、この場合の画像の破綻を回避するべく、孤立した動きベクトルを除去する動きベクトル検出回路を開示している。
【特許文献１】特開平０６−１５３１６７号公報。
【発明の開示】
【発明が解決しようとする課題】
【０００４】
しかし、フレーム補間装置において動きベクトルの急峻な変化により周辺ブロックの動きベクトルに対し大きなベクトル差をもつかたまりが発生した場合、補間画像においては、広範囲に誤補間が発生し、画像が著しく破綻する場合がある。
【０００５】
特許文献１の孤立ベクトル除去などの手法では、特定のかたまりを持って誤検出した場合、この誤検出した動きベクトルを補正できない。
【０００６】
本発明は、周辺ブロックの動きベクトルに対し大きなベクトル差をもつかたまりを補正することができるフレーム補間回路及びフレーム補間方法を提供することを目的とする。
【課題を解決するための手段】
【０００７】
課題を解決するための一実施形態は、
入力画像信号（Ｉ１）から第１のフレーム画像（Ｆ１）と第２のフレーム画像（Ｆ２）を検出し両者を比較して、前記フレームをブロック状に分割した複数ブロック毎の複数の動きベクトル（Ｖ１１〜Ｖ５５）を検出する検出部（２１，２２）と、
前記複数ブロックの中の一のブロックの動きベクトルの値に比べて、前記一のブロックの上のブロックの動きベクトルと右のブロックの動きベクトルの内のベクトル値が近い方の動きベクトルを選び、選んだ動きベクトルの値から所定値（ステップ）以内の値に、前記一のブロックの動きベクトルの値を変更するフィルタ部（２３）と、
前記フィルタ部により値が変更された前記複数の動きベクトル（Ｖ１１’〜Ｖ５５ ’）と前記第1のフレーム画像と前記第２のフレーム画像に基づいて、補間画像（Ｆ３）を生成して出力する補間フレーム生成部（１３）と、
を具備することを特徴とするフレーム補間回路。
【発明の効果】
【０００８】
周辺ブロックの動きベクトルに対し、大きなベクトル差をもつ動きベクトルのかたまりを補正することができるフレーム補間回路及びフレーム補間方法を提供する。
【発明を実施するための最良の形態】
【０００９】
以下、この発明の実施の形態について図面を参照して詳細に説明する。  
図１は、本発明の一実施形態に係るフレーム補間回路の構成の一例を示すブロック図である。図２は、本発明の一実施形態に係るフレーム補間回路の動きベクトル検出部の構成の一例を示すブロック図である。図３は、本発明の一実施形態に係るフレーム補間回路の補正前の動きベクトルと補正後の動きベクトルの一例を示す説明図である。図４は、本発明の一実施形態に係るフレーム補間回路の上ベクトルのみを参照したベクトル補正処理の一例を示すフローチャートである。図５は、本発明の一実施形態に係るフレーム補間回路の上ベクトルのみを参照したベクトル補正処理の一例を示す説明図である。図６は、本発明の一実施形態に係るフレーム補間回路の左ベクトルのみを参照したベクトル補正処理の一例を示すフローチャートである。図７は、本発明の一実施形態に係るフレーム補間回路の上ベクトル又は左ベクトルの一方を参照したベクトル補正処理の一例を示すフローチャートである。図８は、本発明の一実施形態に係るフレーム補間回路の上ベクトル又は左ベクトルの一方を参照したベクトル補正処理の一例を示す説明図である。図９は、本発明の一実施形態に係るフレーム補間回路によるベクトル補正処理の具体的な一例を示すベクトル値の説明図である。図１０は、本発明の一実施形態に係るフレーム補間回路を含む表示装置の構成の一例を示すブロック図である。
【００１０】
＜本発明の一実施形態であるフレーム補間回路＞
（構成と基本動作）
初めに、本発明の一実施形態であるフレーム補間回路の一例を図１を用いて説明する。フレーム補間回路１は、図１において、例えば、ＲＧＢ規格又はＹＣｂＣｒ規格等である一例として６０フレーム／秒の入力画像信号Ｉ１を受け一例として１２０フレーム／秒の出力画像信号Ｉ２を出力するフレームメモリ１１と、フレームメモリ１１に格納された過去フレーム（Ｆ１）と現在フレーム（Ｆ２）との画素値を比較しシンメトリックサーチやブロックマッチング等を用いて動きベクトルを生成し上左ベクトルを使用したフィルタリングを含む動きベクトル検出部１２とを有する。更に、フレーム補間回路１は、動きベクトル検出部１２からの過去フレーム（Ｆ１）と現在フレーム（Ｆ２）と動きベクトル検出部１２が生成した動きベクトルとに基づいて補間フレーム（Ｆ３）を生成する補間フレーム生成部１３と、後述するように全体の動作を制御する制御部１４を有している。
【００１１】
又、動きベクトル検出部１２は、図２に示すように、動きベクトルマッチング部２１と、最終ベクトル決定部２２と、上左ベクトルを用いた動きベクトルフィルタ部２３を有している。
【００１２】
このようなフレーム補間回路の基本動作を以下に詳細に説明する。  
制御部１４及び、上左ベクトルを用いたフィルタリングを含む動きベクトル検出部１２内の動きベクトルマッチング２１、検出ベクトル決定部２２の働きによって、入力画像信号（Ｉ１）から過去フレーム画像（Ｆ１）と現在フレーム画像（Ｆ２）とに基づいて、図９の補正前のような動きベクトルＶ１１〜Ｖ５５を検出する。又、ここで上左ベクトルを用いた動きベクトルフィルタ部２３のフィルタリング処理を行なう場合は、後述する手順で行なう。
【００１３】
次に、補間フレーム生成部１３は、上左ベクトルを用いたフィルタリングを含む動きベクトル検出部１２から動きベクトルＶ１１〜Ｖ５５を受けると、入力画像信号（Ｉ１）からの過去フレーム画像（Ｆ１）と現在フレーム画像（Ｆ２）とに基づいて、補間画像（Ｆ３）を生成し、過去フレーム画像（Ｆ１）、補間画像（Ｆ３）、現在フレーム画像（Ｆ２）の順に後段に出力する。これにより、映像に大きな動きが含まれていたとしても、例えば、パネル表示部に破綻のない滑らかで自然な映像を表示することが可能となる。
【００１４】
（フィルタリング処理を含む動作）
次に、上述した図９で示す補正前の動きベクトルＶ１１乃至Ｖ５５のような、周辺ブロックの動きベクトルに対して大きなベクトル差をもつ動きベクトルのかたまりを補正するためのフィルタリング処理を図３乃至図８のフローチャート等を用いて以下に詳細に説明する。なお、図４、図６及び図７のフローチャートの各ステップは、回路ブロックに置き換えることができ、従って、各フローチャートのステップは、全てブロックに定義しなおすことが可能である。
【００１５】
・上ベクトルを用いたフィルタリング処理
初めに、上ベクトルを用いたフィルタリング処理の原理を図３を用いて説明する。図３では、動きベクトルが、上ベクトルのｘ成分が０で以降現ブロックが１０，１０，１０，１０と続き、再び０となる場合を示している。この動きベクトル１０の部分が、誤検出の可能性が高い部位である。
【００１６】
この動きベクトルについて、動きベクトルフィルタ２３を使用して本発明の一実施形態であるフィルタ処理を行うと、上ベクトル０から現ベクトル１０に変化する部分で、特定のステップα（例：α＝１）でスムーズ処理を行う。つまり現ベクトルは上ベクトル０にステップα＝１を加えた『１』となる。
【００１７】
次にこの補正された現ベクトルを循環させ『１』にステップαを加えた『２』が次の現ベクトルとなり、ベクトル値は、『３』、『４』、『３』、『２』、『１』と値を徐々に変化させていく。このように処理することで、ベクトルの急激な変化を抑えるため、映像が破綻することはない。
【００１８】
なお、ステップαの値は、『１』でも『２』、『３』等でも適宜、設定が可能である。
【００１９】
次に、上ベクトルを用いたフィルタリング処理の具体例を図４のフローチャートを用いて詳細に説明する。初めに、最終ベクトル決定部２２から複数ブロック毎の複数の動きベクトルを受けると、そのうちの一つの現ベクトルＶ１と上ベクトルＶ２を比較する（ステップＳ１１）。そして、ステップ値＝α（αは例えば１等の定数）の範囲であれば、補正ベクトル＝（ｘｔ，ｙｔ）として、ベクトルのフィルタリング処理は行なわれない（ステップＳ１９）。
【００２０】
しかし、現ベクトルＶ１と上ベクトルＶ２の比較結果がステップ値＝αを越えていれば、上ベクトルを基点としたスムーズ化処理を行い、両者のベクトルの大小を求められる（ステップＳ１２）。│ｘｔ−ｘｕ│≧│ｙｔ−ｙｕ│であれば、次に、ｘｔ−ｘｕ≦０であるかが問われ（ステップＳ１３）、そうであれば、補正ベクトル＝（ｘｕ−α，０）となり（ステップＳ１５）、そうでなければ、補正ベクトル＝（ｘｕ＋α，０）となる（ステップＳ１４）。
【００２１】
又、ステップＳ１２で、│ｘｔ−ｘｕ│＜│ｙｔ−ｙｕ│であれば、次に、ｙｔ−ｙｕ≦０であるかが問われ（ステップＳ１６）、そうであれば、補正ベクトル＝（０，ｙｕ−α）となり（ステップＳ１７）、そうでなければ、補正ベクトル＝（０，ｙｕ＋α）となる（ステップＳ１８）。
【００２２】
これでフレーム中の一つの現ベクトルＶ１についてフィルタリング処理が行なわれたわけだが、このフィルタリング処理はフレーム中の全てのブロック毎の動きベクトルについて行なうことが好適である。
【００２３】
・左ベクトルを用いたフィルタリング処理
次に、左ベクトルを用いたフィルタリング処理を図５を用いて説明する。動作は、図３の上ベクトルを用いたフィルタリング処理と同様である。
【００２４】
現ベクトルは、処理前の０，１０，１０，０が、この処理の結果、０，３，６，３となり、左ベクトルに沿ってスムーズ化されているのが解かる。これにより、周辺ブロックの動きベクトルに対し大きなベクトル差をもつかたまりを補正することができる。
【００２５】
次に、左ベクトルを用いたフィルタリング処理の具体例を図６のフローチャートを用いて詳細に説明する。初めに、最終ベクトル決定部２２から複数ブロック毎の複数の動きベクトルを受けると、そのうちの一つの現ベクトルＶ１と左ベクトルＶ３を比較する（ステップＳ２１）。そして、ステップ値＝β（βは例えば１等の定数）の範囲であれば、補正ベクトル＝（ｘｔ，ｙｔ）として、ベクトルのフィルタリング処理は行なわれない（ステップＳ２９）。
【００２６】
しかし、現ベクトルＶ１と左ベクトルＶ３の比較結果がステップ値＝βを越えていれば、左ベクトルを基点としたスムーズ化処理を行い、両者のベクトルの大小を求められる（ステップＳ２２）。│ｘｔ−ｘｌ│≧│ｙｔ−ｙｌ│であれば、次に、ｘｔ−ｘｌ≦０であるかが問われ（ステップＳ２３）、そうであれば、補正ベクトル＝（ｘｌ−β，０）となり（ステップＳ２５）、そうでなければ、補正ベクトル＝（ｘｌ＋β，０）となる（ステップＳ２４）。
【００２７】
又、ステップＳ２２で、│ｘｔ−ｘｕ│＜│ｙｔ−ｙｕ│であれば、次に、ｙｔ−ｙｌ≦０であるかが問われ（ステップＳ２６）、そうであれば、補正ベクトル＝（０，ｙｌ−β）となり（ステップＳ２７）、そうでなければ、補正ベクトル＝（０，ｙｌ＋β）となる（ステップＳ２８）。
【００２８】
これでフレーム中の一つの現ベクトルＶ１についてフィルタリング処理が行なわれたわけだが、このフィルタリング処理はフレーム中の全てのブロック毎の動きベクトルについて行なうことが好適である。
【００２９】
・上左ベクトルを用いたフィルタリング処理
次に、上左ベクトルを用いたフィルタリング処理の具体例を図７のフローチャートを用いて詳細に説明する。初めに、最終ベクトル決定部２２から複数ブロック毎の複数の動きベクトルを受けると、そのうちの一つの現ベクトルＶ１と上ベクトルＶ２を比較する（ステップＳ３１）。そして、ステップ値＝α（αは例えば１等の定数）の範囲であれば、現ベクトルＶ１と左ベクトルＶ３を比較し（ステップＳ３５）、比較結果がステップ値＝β（βは例えば１等の定数）の範囲であれば、補正ベクトル＝（ｘｔ，ｙｔ）として、ベクトルのフィルタリング処理は行なわれない（ステップＳ３７）。
【００３０】
しかし、ステップＳ３１で、現ベクトルＶ１と上ベクトルＶ２の比較結果がステップ値＝αを越えていれば、現ベクトルＶ１と左ベクトルＶ３を比較し（ステップＳ３５）、その比較結果がステップ値＝β（βは例えば１等の定数）の範囲であるかどうかを判断する（ステップＳ３２）。そして、現ベクトルＶ１と左ベクトルＶ３の比較結果がステップ値＝β（βは例えば１等の定数）の範囲であるとすると、図４に示される上ベクトルを基点としたスムーズ化処理が行なわれる（ステップＳ３４）。
【００３１】
又、ステップＳ３５で、現ベクトルＶ１と左ベクトルＶ３の比較結果がステップ値＝β（βは例えば１等の定数）を越えていれば、図６に示される左ベクトルを基点としたスムーズ化処理が行なわれる（ステップＳ３６）。
【００３２】
又、ステップＳ３２で、現ベクトルＶ１と左ベクトルＶ３の比較結果がステップ値＝β（βは例えば１等の定数）の範囲を越えていれば、│ｘｔ−ｘｕ│＋│ｙｔ−ｙｕ│≦│ｘｔ−ｘｌ│＋│ｙｔ−ｙｌ│が問われる（ステップＳ３３）。そして、これがＹｅｓであり現ベクトルＶ１の値が上ベクトルＶ２の値の方に近ければ、図４に示される上ベクトルを基点としたスムーズ化処理が行なわれる（ステップＳ３４）。
【００３３】
又、ステップＳ３３で、現ベクトルＶ１の値が左ベクトルＶ３の値の方に近ければ、図６に示される左ベクトルを基点としたスムーズ化処理が行なわれる（ステップＳ３６）。
【００３４】
これでフレーム中の一つの現ベクトルＶ１についてフィルタリング処理が行なわれたわけだが、このフィルタリング処理はフレーム中の全てのブロック毎の動きベクトルについて行なうことが好適である。
【００３５】
これにより、本発明の一実施形態であるフィルタリング処理によれば、上ブロックおよび左ブロックのベクトルを参照し、現ベクトルにフィルタを掛けることで、ベクトルの急峻な変化を抑え、ある程度かたまりを持ったベクトル誤検出も補正可能となる。従って、ベクトルの急峻な変化による補間画像の破綻を軽減することができる。
【００３６】
・上左ベクトルを用いたフィルタリング処理の具体例１
次に、上左ベクトルを用いたフィルタリング処理の具体例１を図８を用いて説明する。  
図８において、補正前の現ベクトルＶ１の値が“４”、上ベクトルＶ２の値が“３０”、左ベクトルＶ３の値が“１０”であるとき、（３０−４）＞（１０−４）となり、上ベクトルＶ２は無視され、左ベクトルＶ３を基点としたスムーズ化処理が行なわれる。ここで、ステップα＝３であれば、左ベクトルＶ３の値が“１０”であるため、現ベクトルＶ１の値は“１０−３＝７”となる。
【００３７】
・上左ベクトルを用いたフィルタリング処理の具体例２
次に、上左ベクトルを用いたフィルタリング処理の具体例２を図９を用いて説明する。
【００３８】
最終ベクトル決定部２２から供給された補正前の複数のベクトルＶ１１〜Ｖ５１は、特に、ベクトルＶ２４、ベクトルＶ３４、ベクトルＶ４４、ベクトルＶ２３、ベクトルＶ３３、ベクトルＶ４３、ベクトルＶ２２、ベクトルＶ３２、ベクトルＶ４２において、周辺ブロックの動きベクトルに対し大きなベクトル差をもつ動きベクトルのかたまりを形成している。
【００３９】
しかし、これらのベクトルＶ２４、ベクトルＶ３４、ベクトルＶ４４、ベクトルＶ２３、ベクトルＶ３３、ベクトルＶ４３、ベクトルＶ２２、ベクトルＶ３２、ベクトルＶ４２は、上述した図７に示すような上左ベクトルを用いたフィルタリング処理を施すことにより、ベクトルＶ２４’、ベクトルＶ３４’、ベクトルＶ４４’、ベクトルＶ２３’、ベクトルＶ３３’、ベクトルＶ４３’、ベクトルＶ２２’、ベクトルＶ３２’、ベクトルＶ４２’となり、周辺ブロックの動きベクトルに対し大きなベクトル差をもつかたまりを補正することが可能となる。これにより、ベクトルの急峻な変化による補間画像の破綻を回避することができる。
【００４０】
なお、これまで、上、左、上左ベクトルを用いたフィルタリング処理を述べたが、同じ原理で上下左右いずれかのベクトルを用いても、同様に、本原理によりフィルタリング処理が可能である。
【００４１】
＜本発明の一実施形態であるフレーム補間回路を用いたパネル表示装置＞
次に、上述したフレーム補間回路を用いたパネル表示装置の一例を図１０を用いて詳細に説明する。
【００４２】
フレーム補間回路１を用いたパネル表示装置３０は、一例として、放送信号を映像信号として出力するチューナ部３１と、映像信号のスケーリング処理を行なうスケーラ３２と、映像信号のＩＰ変換を行なうＩＰ変換部３３と、カラーマネジメント、エンハンサ、補正回路等を含む処理部３４と、上述したフレーム補間回路１と、このフレーム補間回路１の出力を受ける液晶表示部やＦＰＤ（Flat Panel Display）等のパネル部１５を有している。
【００４３】
このような構成をもつパネル表示装置３０は、上述したようにフレーム補間回路１により、周辺ブロックの動きベクトルに対し大きなベクトル差をもつかたまりを補正することが可能であり、映像の破綻のない補間フレームを用いて滑らかで自然な映像を表示することが可能となる。
【００４４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４５】
【図１】本発明の一実施形態に係るフレーム補間回路の構成の一例を示すブロック図。
【図２】本発明の一実施形態に係るフレーム補間回路の動きベクトル検出部の構成の一例を示すブロック図。
【図３】本発明の一実施形態に係るフレーム補間回路の補正前の動きベクトルと補正後の動きベクトルの一例を示す説明図。
【図４】本発明の一実施形態に係るフレーム補間回路の上ベクトルのみを参照したベクトル補正処理の一例を示すフローチャート。
【図５】本発明の一実施形態に係るフレーム補間回路の上ベクトルのみを参照したベクトル補正処理の一例を示す説明図。
【図６】本発明の一実施形態に係るフレーム補間回路の左ベクトルのみを参照したベクトル補正処理の一例を示すフローチャート。
【図７】本発明の一実施形態に係るフレーム補間回路の上ベクトル又は左ベクトルの一方を参照したベクトル補正処理の一例を示すフローチャート。
【図８】本発明の一実施形態に係るフレーム補間回路の上ベクトル又は左ベクトルの一方を参照したベクトル補正処理の一例を示す説明図。
【図９】本発明の一実施形態に係るフレーム補間回路によるベクトル補正処理の具体的な一例を示すベクトル値の説明図。
【図１０】本発明の一実施形態に係るフレーム補間回路を含む表示装置の構成の一例を示すブロック図。
【符号の説明】
【００４６】
１…フレーム補間回路、１１…フレームメモリ、１２…上左ベクトルを使用したフィルタリングを含む動きベクトル検出部、１３…補間フレーム生成部、１４…制御部、１５…パネル、２３…上左ベクトルを用いた動きベクトルフィルタ。
【図１】
2008067222.tif 000003
【図２】
2008067222.tif 000004
【図３】
2008067222.tif 000005
【図４】
2008067222.tif 000006
【図５】
2008067222.tif 000007
【図６】
2008067222.tif 000008
【図７】
2008067222.tif 000009
【図８】
2008067222.tif 000010
【図９】
2008067222.tif 000011
【図１０】
2008067222.tif 000012